【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  番組の属性情報である番組情報及び番組表を蓄積する蓄積手段を有し、端末装置からの送信要求に応じて上記番組情報及び番組表をネットワーク網を介して上記端末装置に送信する番組関連情報提供装置であって、
上記端末装置から送信される上記番組表中の番組に対する番組記録予約設定要求に応じて上記蓄積手段に蓄積された番組情報を検索する検索手段と、
上記検索手段によって検索された番組情報に基づいて上記番組表中の番組を記録媒体に記録させる制御命令である第１の番組記録予約設定スクリプトを生成する第１の番組記録予約設定スクリプト生成手段と、
上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成する番組関連情報アドレス表示スクリプト生成手段と、
上記番組関連情報アドレス表示スクリプトを上記第１の番組記録予約設定スクリプトに添附して第２の番組記録予約設定スクリプトを生成する第２の番組記録予約設定スクリプト生成手段と、
上記第２の番組記録予約設定スクリプト生成手段によって番組関連情報アドレス表示スクリプトを添附された第２の番組記録予約設定スクリプトを上記端末装置に送信する送信手段と
を備えることを特徴とする番組関連情報提供装置。
【請求項２】  上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用いること
を特徴とする請求項１記載の番組関連情報提供装置。
【請求項３】  番組の属性情報である番組情報及び番組表を蓄積する蓄積手段を有し、端末装置からの送信要求に応じて上記番組情報及び番組表をネットワーク網を介して上記端末装置に送信する番組関連情報提供装置の番組関連情報提供方法であって、
上記端末装置から送信される上記番組表中の番組に対する番組記録予約設定要求に応じて上記蓄積手段に蓄積された番組情報を検索し、
検索された上記番組情報に基づいて上記番組表中の番組を記録媒体に記録させる制御命令である第１の番組記録予約設定スクリプトを生成し、
検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成し、
上記番組関連情報アドレス表示スクリプトを上記第１の番組記録予約設定スクリプトに添附して第２の番組記録予約設定スクリプトを生成し、
上記番組関連情報アドレス表示スクリプトを添附された第２の番組記録予約設定スクリプトを上記端末装置に送信すること
を特徴とする番組関連情報提供方法。
【請求項４】  番組の属性情報である番組情報及び番組表を蓄積する蓄積手段を有し、第１の端末装置からの送信要求に応じて上記番組情報及び番組表をネットワーク網を介して上記第１の端末装置に送信する番組関連情報提供装置であって、
上記第１の端末装置から送信される上記番組表中の番組に対する番組記録予約設定要求に応じて上記蓄積手段に蓄積された番組情報を検索する検索手段と、
上記検索手段によって検索された番組情報に基づいて上記番組表中の番組を記録媒体に記録させる制御命令である第１の番組記録予約設定スクリプトを生成する第１の番組記録予約設定スクリプト生成手段と、
上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備えた第２端末装置に上記アドレス情報を表示させる制御命令である番組関連情報アドレス表示スクリプトを生成する番組関連情報アドレス表示スクリプト生成手段と、
上記番組関連情報アドレス表示スクリプトを上記第１の番組記録予約設定スクリプトに添附して第２の番組記録予約設定スクリプトを生成する第２の番組記録予約設定スクリプト生成手段と、
上記第２の番組記録予約設定スクリプト生成手段によって番組関連情報アドレス表示スクリプトを添附された第２の番組記録予約設定スクリプトを上記第２の端末装置に送信する送信手段と
を備えることを特徴とする番組関連情報提供装置。
【請求項５】  上記番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用いること
を特徴とする請求項４記載の番組関連情報提供装置。
【請求項６】  番組の属性情報である番組情報及び番組表を蓄積する蓄積手段を有し、第１の端末装置からの送信要求に応じて上記番組情報及び番組表をネットワーク網を介して上記第１の端末装置に送信する番組関連情報提供装置の番組関連情報提供方法であって、
上記第１の端末装置から送信される上記番組表中の番組に対する番組記録予約設定要求に応じて上記蓄積手段に蓄積された番組情報を検索し、
検索された上記番組情報に基づいて上記番組表中の番組を記録媒体に記録させる制御命令である第１の番組記録予約設定スクリプトを生成し、
検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備えた第２端末装置に上記アドレス情報を表示させる制御命令である番組関連情報アドレス表示スクリプトを生成し、
上記番組関連情報アドレス表示スクリプトを上記第１の番組記録予約設定スクリプトに添附して第２の番組記録予約設定スクリプトを生成し、
上記番組関連情報アドレス表示スクリプトを添附された第２の番組記録予約設定スクリプトを上記第２の端末装置に送信すること
を特徴とする番組関連情報提供方法。
【請求項７】  番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をし、上記番組記録予約設定要求をした番組を記録媒体に記録する記録手段と、上記記録媒体に記録した番組を再生する再生手段とを有する上記端末装置とがネットワーク網を介し接続された番組関連情報提供システムであって、
上記番組関連情報提供装置は、上記端末装置からの番組記録予約設定要求に応じて上記蓄積手段に蓄積された番組情報を検索する検索手段と、上記検索手段によって検索された番組情報に基づいて上記番組表中の番組を記録媒体に記録させる制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約設定スクリプトを上記端末装置に送信する送信手段とを有し、
上記端末装置は、上記番組関連情報提供装置の送信手段から送信された第２の番組記録予約設定スクリプトを受信する第１の受信手段と、上記第１の受信手段で受信した第２の番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、
上記端末装置の制御手段は、再生要求に応じて、上記再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて上記表示手段に表示又は非表示させるよう制御すること
を特徴とする番組関連情報提供システム。
【請求項８】  上記番組関連情報提供装置の番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、
上記端末装置の制御手段は、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御すること
を特徴とする請求項７記載の番組関連情報提供システム。
【請求項９】  上記番組関連情報提供装置は、上記端末装置に送信するアドレス情報の提供者であるアドレス情報提供者から料金を徴収する料金徴収手段を有すること
を特徴とする請求項７記載の番組関連情報提供システム。
【請求項１０】  上記番組関連情報提供装置の第２の番組記録予約設定スクリプト生成手段は、上記料金徴収手段で徴収する料金の違いに応じて、高い料金の支払われたアドレス情報が優先的に上記端末装置の表示手段に表示されるように番組関連情報アドレス表示スクリプトを生成すること
を特徴とする請求項９記載の番組関連情報提供システム。
【請求項１１】  番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をし、上記番組記録予約設定要求をした番組を記録媒体に記録する記録手段と、上記記録媒体に記録した番組を再生する再生手段とを有する上記端末装置とがネットワーク網を介し接続された番組関連情報提供システムの番組関連情報提供方法であって、
上記番組関連情報提供装置は、上記端末装置からの番組記録予約設定要求に応じて上記蓄積手段に蓄積された番組情報を検索し、検索された上記番組情報に基づいて上記番組表中の番組を記録媒体に記録させる記録装置に対する制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記番組関連情報アドレス表示スクリプトを添附された上記第２の番組記録予約設定スクリプトを上記端末装置に送信し、
上記端末装置は、上記端末装置から送信された上記第２の番組記録予約設定スクリプトを受信し、受信した上記第２の番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録手段を駆動制御して受信した上記番組と、受信した上記第２の番組記録予約設定スクリプトに添附された当該番組の上記番組関連情報アドレス表示スクリプトとを上記記録媒体に記録させるよう制御し、再生要求に応じて、上記再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該端末装置の表示手段に表示又は非表示させるよう制御すること
を特徴とする番組関連情報提供方法。
【請求項１２】  番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする上記第１の端末装置と、上記第１の端末装置によって上記番組記録予約要求をした番組を記録媒体に記録する記録手段と、上記記録媒体に記録した番組を再生する再生手段とを有する第２の端末装置とがネットワーク網を介し接続された番組関連情報提供システムであって、
上記番組関連情報提供装置は、上記第１の端末装置からの番組記録予約設定要求に応じて上記蓄積手段に蓄積された番組情報を検索する検索手段と、上記検索手段によって検索された番組情報に基づいて上記番組表中の番組を記録媒体に記録させる制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記第２の端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約設定スクリプトを上記第２の端末装置に送信する送信手段とを有し、
上記第２端末装置は、上記番組関連情報提供装置の送信手段から送信された第２の番組記録予約設定スクリプトを受信する第１の受信手段と、上記第１の受信手段で受信した第２の番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、
上記制御手段は、再生要求に応じて、上記再生手段を制御して上記記録媒体に記録した番組を再生すると同時に、上記記録媒体に記録した番組関連情報アドレス表示スクリプトが備える上記アドレス情報を上記表示時間情報に基づいて上記表示手段に表示又は非表示させるよう制御すること
を特徴とする番組関連情報提供システム。
【請求項１３】  上記番組関連情報提供装置の番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、
上記第２の端末装置の制御手段は、上記表示時間情報として、上記表示開始時間情報と、上記表示継続時間情報とを読み出し、読み出したアドレス情報を上記表示開始時間情報に基づいて当該端末装置の表示手段に表示させ、上記表示手段に表示させた上記アドレス情報を上記表示継続時間情報に基づいて非表示にするよう制御すること
を特徴とする請求項１２記載の番組関連情報提供システム。
【請求項１４】  上記番組関連情報提供装置は、上記第２の端末装置に送信するアドレス情報の提供者であるアドレス情報提供者から料金を徴収する料金徴収手段を有すること
を特徴とする請求項１２記載の番組関連情報提供システム。
【請求項１５】  上記番組関連情報提供装置の第２の番組記録予約設定スクリプト生成手段は、上記料金徴収手段で徴収する料金の違いに応じて、高い料金の支払われたアドレス情報が優先的に上記第２の端末装置の表示手段に表示されるように番組関連情報アドレス表示スクリプトを生成すること
を特徴とする請求項１４記載の番組関連情報提供システム。
【請求項１６】   番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする上記第１の端末装置と、上記第１の端末装置によって上記番組記録予約要求をした番組を記録媒体に記録する記録手段と、上記記録媒体に記録した番組を再生する再生手段とを有する第２の端末装置とがネットワーク網を介し接続された番組関連情報提供システムの番組関連情報提供方法であって、
上記番組関連情報提供装置は、上記第１の端末装置からの番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記第２の端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記第２の番組記録予約設定スクリプト生成手段によって番組関連情報アドレス表示スクリプトを添附された上記第２の番組記録予約設定スクリプトを上記第２の端末装置に送信し、
上記第２端末装置は、上記番組関連情報提供装置から送信された第２の番組記録予約設定スクリプトを受信し、受信した上記第２の番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録手段を駆動制御して受信した番組と、受信した第２の番組記録予約設定スクリプトに添附された当該番組の上記番組関連情報アドレス表示スクリプトとを上記記録媒体に記録させるよう制御し、再生要求に応じて、上記再生手段を制御して上記記録媒体に記録した番組を再生すると同時に、上記記録媒体に記録した番組関連情報アドレス表示スクリプトが備える上記アドレス情報を上記表示時間情報に基づいて当該第２の端末装置の表示手段に表示又は非表示させるよう制御すること
を特徴とする番組関連情報提供方法。
【請求項１７】  番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をする上記端末装置と、上記番組を記録媒体に記録する記録手段と、上記記録媒体に記録された番組を再生する再生手段とを有する記録再生装置とがネットワーク網を介し接続されている番組関連情報提供システムであって、
上記番組関連情報提供装置は、上記端末装置からの番組記録予約設定要求に応じて上記蓄積手段に蓄積された番組情報を検索する検索手段と、上記検索手段によって検索された番組情報に基づいて上記番組表中の番組を記録媒体に記録させる記録再生装置に対する制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約スクリプトを上記端末装置に送信する送信手段とを有し、
上記端末装置は、送信手段から送信された第２の番組記録予約設定スクリプトを受信する第１の受信手段と、上記第１の受信手段で受信した番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録再生装置の記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、
上記端末装置の制御手段は、再生要求に応じて、上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて上記表示手段に表示又は非表示させるよう制御すること
を特徴とする番組関連情報提供システム。
【請求項１８】  上記番組関連情報提供装置の番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、
上記端末装置の制御手段は、上記表示時間情報として、上記表示開始時間情報と、上記表示継続時間情報とを読み出し、読み出したアドレス情報を上記表示開始時間情報に基づいて上記端末装置の表示手段に表示させ、上記表示手段に表示させた上記アドレス情報を上記表示継続時間情報に基づいて非表示にするよう制御すること
を特徴とする請求項１７記載の番組関連情報提供システム。
【請求項１９】  上記番組関連情報提供装置は、上記端末装置に送信するアドレス情報の提供者であるアドレス情報提供者から料金を徴収する料金徴収手段を有すること
を特徴とする請求項１７記載の番組関連情報提供システム。
【請求項２０】  上記番組関連情報提供装置の第２の番組記録予約設定スクリプト生成手段は、上記料金徴収手段で徴収する料金の違いに応じて、高い料金の支払われたアドレス情報が優先的に上記端末装置の表示手段に表示されるように番組関連情報アドレス表示スクリプトを生成すること
を特徴とする請求項１９記載の番組関連情報提供システム。
【請求項２１】  番組の属性情報である番組情報及び番組表を蓄積する蓄積手段を有し、端末装置からの送信要求に応じて上記番組情報及び番組表を上記端末装置に送信する番組関連情報提供装置と、上記番組関連情報提供装置から送信される番組表中の番組の番組記録予約設定要求をする上記端末装置と、上記番組を記録媒体に記録する記録手段と、上記記録媒体に記録された番組を再生する再生手段とを有する記録再生装置とがネットワーク網を介し接続されている番組関連情報提供システムの番組関連情報提供方法であって、
上記番組関連情報提供装置は、上記端末装置からの番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記番組関連情報アドレス表示スクリプトを添附された上記第２の番組記録予約スクリプトを上記端末装置に送信し、
上記端末装置は、上記番組関連情報提供装置から送信された第２の番組記録予約設定スクリプトを受信し、受信した上記番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録再生装置の記録手段を駆動制御して受信した上記番組と受信した上記第２の番組記録予約設定スクリプトに添附された当該番組の上記番組関連情報アドレス表示スクリプトとを上記記録媒体に記録させるよう制御し、再生要求に応じて、上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該端末装置の表示手段に表示又は非表示させるよう制御する
ことを特徴とする番組関連情報提供方法。
【請求項２２】  番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする第２の端末装置と、上記番組を記録媒体に記録する記録手段と、上記記録媒体に記録された番組を再生する再生手段とを有する記録再生装置とがネットワーク網を介し接続されている番組関連情報提供システムであって、
上記番組関連情報提供装置は、上記第１の端末装置からの番組記録予約設定要求に応じて上記蓄積手段に蓄積された番組情報を検索する検索手段と、上記検索手段によって検索された番組情報に基づいて上記番組表中の番組を記録媒体に記録させる上記記録再生装置に対する制御命令である第１の番組記録予約設定スクリプトを生成する第１の番組記録予約設定スクリプト生成手段と、上記検索手段によって検索された番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成する番組関連情報アドレス表示スクリプト生成手段と、上記番組関連情報アドレス表示スクリプトを上記第１の番組記録予約設定スクリプトに添附して第２の番組記録予約設定スクリプトを生成する第２の番組記録予約設定スクリプト生成手段と、上記第２の番組記録予約設定スクリプト生成手段によって番組関連情報アドレス表示スクリプトを添附された上記第２の番組記録予約スクリプトを上記第２の端末装置に送信する送信手段とを有し、
上記第２の端末装置は、上記番組関連情報提供装置の送信手段から送信された第２の番組記録予約設定スクリプトを受信する第１の受信手段と、上記第１の受信手段で受信した番組記録予約設定スクリプトから第１の番組記録予約設定スクリプトを検出する検出手段と、上記検出手段によって検出された第１の番組記録予約設定スクリプトの指定する番組を所定の時間に受信する第２の受信手段と、上記検出手段によって検出された第１の番組記録予約設定スクリプトを番組記録予約設定制御信号に変換する信号変換手段と、上記信号変換手段によって変換された番組記録予約設定制御信号に応じて上記記録再生装置の記録手段を駆動制御して上記第２の受信手段で受信した番組と上記第１の受信手段で受信した第２の番組記録予約設定スクリプトに添附された当該番組の上記番組関連情報アドレス表示スクリプトとを上記記録媒体に記録させるよう制御する制御手段と、上記再生手段によって再生された番組を表示する表示手段とを有し、
上記第２の端末装置の制御手段は、再生要求に応じて、上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該第２の端末装置の表示手段に表示又は非表示させるよう制御すること
を特徴とする番組関連情報提供システム。
【請求項２３】  上記番組関連情報提供装置の番組関連情報アドレス表示スクリプト生成手段は、生成する上記番組関連情報アドレス表示スクリプトの表示時間情報として、上記アドレス情報の表示タイミングを規定する番組の放送開始時間を基準とした相対時間である表示開始時間情報と、表示されたアドレス情報の表示継続時間を規定する表示継続時間情報とを用い、
上記第２の端末装置の制御手段は、上記表示時間情報として、上記表示開始時間情報と、上記表示継続時間情報とを読み出し、読み出した上記アドレス情報を上記表示開始時間情報に基づいて上記第２の端末装置の表示手段に表示させ、上記表示手段に表示させた上記アドレス情報を上記表示継続時間情報に基づいて非表示にするよう制御すること
を特徴とする請求項２２記載の番組関連情報提供システム。
【請求項２４】  上記番組関連情報提供装置は、上記第２の端末装置に送信するアドレス情報の提供者であるアドレス情報提供者から料金を徴収する料金徴収手段を有すること
を特徴とする請求項２２記載の番組関連情報提供システム。
【請求項２５】  上記番組関連情報提供装置の第２の番組記録予約設定スクリプト生成手段は、上記料金徴収手段で徴収する料金の違いに応じて、高い料金の支払われたアドレス情報が優先的に上記第２の端末装置の表示手段に表示されるように番組関連情報アドレス表示スクリプトを生成すること
を特徴とする請求項２４記載の番組関連情報提供システム。
【請求項２６】  番組の属性情報である番組情報及び番組表を蓄積する蓄積手段を有し、第１の端末装置からの送信要求に応じて上記番組情報及び番組表を上記第１の端末装置に送信する番組関連情報提供装置と、上記番組関連情報提供装置から送信される番組表中の番組の番組記録予約設定要求をする第２の端末装置と、上記番組を記録媒体に記録する記録手段と、上記記録媒体に記録された番組を再生する再生手段とを有する記録再生装置とがネットワーク網を介し接続されている番組関連情報提供システムの番組関連情報提供方法であって、
上記番組関連情報提供装置は、上記第１の端末装置からの番組記録予約設定要求に応じて上記蓄積手段に蓄積された番組情報を検索し、検索された上記番組情報に基づいて上記番組表中の番組を記録媒体に記録させる制御命令である第１の番組記録予約設定スクリプトを生成し、検索された上記番組情報のうち、上記番組と関連した番組関連情報の上記ネットワーク網上の所在地を示すアドレス情報と、上記アドレス情報の表示時間を規定する表示時間情報とを備える上記端末装置に対する制御命令である番組関連情報アドレス表示スクリプトを生成し、上記番組関連情報アドレス表示スクリプトを上記第１の番組記録予約設定スクリプトに添附して第２の番組記録予約設定スクリプトを生成し、上記第２の番組記録予約設定スクリプト生成手段によって番組関連情報アドレス表示スクリプトを添附された上記第２の番組記録予約スクリプトを上記第２の端末装置に送信し、
上記第２の端末装置は、上記番組関連情報提供装置から送信された第２の番組記録予約設定スクリプトを受信し、受信した上記番組記録予約設定スクリプトから第１の番組記録予約設定スクリプトを検出し、検出された上記第１の番組記録予約設定スクリプトの指定する番組を所定の時間に受信し、検出された上記第１の番組記録予約設定スクリプトを番組記録予約設定制御信号に変換し、変換された上記番組記録予約設定制御信号に応じて上記記録再生装置の記録手段を駆動制御して受信した上記番組と、受信した上記第２の番組記録予約設定スクリプトに添附された当該番組の上記番組関連情報アドレス表示スクリプトとを上記記録媒体に記録させるよう制御し、
上記第２の端末装置は、再生要求に応じて上記記録再生装置の再生手段を制御して上記記録媒体に記録した番組を再生すると同時に、上記記録媒体に記録した番組関連情報アドレス表示スクリプトが備える上記アドレス情報と、上記表示時間情報とを読み出し、読み出した上記アドレス情報を上記表示時間情報に基づいて当該第２の端末装置の表示手段に表示又は非表示させるよう制御すること
を特徴とする番組関連情報提供方法。
【請求項２７】  番組の属性情報である番組情報及び番組表を蓄積する蓄積手段を有し、端末装置からの送信要求に応じて上記番組情報及び番組表をネットワーク網を介して上記端末装置に送信する番組関連情報提供装置であって、
上記端末装置から送信される上記番組表中の番組に対する番組記視聴要求に応じて当該番組の上記端末装置への受信を許可する受信許可手段と、
上記受信許可手段によって上記端末装置への受信を許可すると同時に上記蓄積手段に蓄積された番組情報を検索する検索手段と、
上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成する番組関連情報アドレス表示スクリプト生成手段と、
上記番組関連情報アドレス表示スクリプト生成手段によって生成された番組関連情報アドレス表示スクリプトを上記端末装置に送信するスクリプト送信手段とを備えること
を特徴とする番組関連情報提供装置。
【請求項２８】  上記番組関連情報アドレス表示スクリプト生成手段は、生成する上記番組関連情報アドレス表示スクリプトの表示時間情報として、番組視聴要求をした上記番組の放送開始時間である放送開始時間情報と、上記アドレス情報の表示タイミングを規定する番組の放送開始時間を基準とした相対時間である表示開始時間情報と、上記アドレス情報の表示継続時間を規定する表示継続時間情報とを用いること
を特徴とする請求項２７記載の番組関連情報提供装置。
【請求項２９】  番組の属性情報である番組情報及び番組表を蓄積する蓄積手段を有し、端末装置からの送信要求に応じて上記番組情報及び番組表をネットワーク網を介して上記端末装置に送信する番組関連情報提供装置の番組関連情報提供方法であって、
上記端末装置から送信される上記番組表中の番組に対する番組記視聴要求に応じて当該番組の上記端末装置への受信を許可し、
上記端末装置への受信を許可すると同時に上記蓄積手段に蓄積された番組情報を検索し、
検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成し、
生成された上記番組関連情報アドレス表示スクリプトを上記端末装置に送信すること
を特徴とする番組関連情報提供方法。
【請求項３０】  番組の属性情報である番組情報及び番組表を蓄積する蓄積手段を有し、記端末装置からの送信要求に応じて上記番組情報及び番組表を送信する番組関連情報提供装置と、上記番組関連情報提供装置から送信される番組表中の番組の番組視聴要求を上記番組関連情報提供装置に送信する上記端末装置とがネットワーク網を介し接続された番組関連情報提供システムであって、
上記番組関連情報提供装置は、上記端末装置から送信される上記番組表中の番組に対する番組記視聴要求に応じて当該番組の上記端末装置への受信を許可する受信許可手段と、上記受信許可手段によって上記端末装置への受信を許可すると同時に上記蓄積手段に蓄積された番組情報を検索する検索手段と、上記検索手段によって検索された番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成する番組関連情報アドレス表示スクリプト生成手段と、上記番組関連情報アドレス表示スクリプト生成手段によって生成された番組関連情報アドレス表示スクリプトを上記端末装置に送信するスクリプト送信手段とを有し、
上記端末装置は、上記番組関連情報提供装置の受信許可手段によって許可された番組を受信する第１の受信手段と、上記第１の受信手段で受信した番組を表示する表示手段と、上記送信手段から送信された番組関連情報アドレス表示スクリプトを受信する第２の受信手段と、上記第２の受信手段で受信した番組関連情報アドレス表示スクリプトから上記アドレス情報と、上記表示時間情報とを検出する検出手段と、上記検出手段によって検出した上記表示時間情報に基づいて上記アドレス情報を上記表示手段に表示又は非表示させるよう制御する制御手段を有すること
を特徴とする番組関連情報提供システム。
【請求項３１】  上記番組関連情報提供装置の番組関連情報アドレス表示スクリプト生成手段は、生成する上記番組関連情報アドレス表示スクリプトの表示時間情報として、番組視聴要求をした上記番組の放送開始時間である放送開始時間情報と、上記アドレス情報の上記表示手段に表示する表示タイミングを規定する番組の放送開始時間を基準とした相対時間である表示開始時間情報と、上記表示手段に表示された上記アドレス情報の表示継続時間を規定する表示継続時間情報とを用い、上記端末装置は、上記放送開始時間情報と上記表示開始時間情報とを加算してアドレス表示開始時間情報を算出し、算出した上記アドレス表示開始時間情報と上記表示継続時間情報とを加算してアドレス表示終了時間情報を算出する演算手段を有し、
上記端末装置の制御手段は、上記演算手段によって算出されたアドレス表示開始時間情報に基づいて当該端末装置の表示部に上記アドレス情報を表示させ、上記演算手段によって算出されたアドレス表示終了時間情報に基づいて当該端末装置の表示部に表示されている上記アドレス情報の表示を終了させるよう制御すること
を特徴とする請求項３０記載の番組関連情報提供システム。
【請求項３２】  上記番組関連情報提供装置は、上記端末装置に送信するアドレス情報の提供者であるアドレス情報提供者から料金を徴収する料金徴収手段を有すること
を特徴とする請求項３０記載の番組関連情報提供システム。
【請求項３３】 上記番組関連情報提供装置の番組関連情報アドレス表示スクリプト生成手段は、上記料金徴収手段で徴収する料金の違いに応じて、高い料金の支払われたアドレス情報が優先的に上記端末装置の表示手段に表示されるように番組関連情報アドレス表示スクリプトを生成すること
を特徴とする請求項３２記載の番組関連情報提供システム。
【請求項３４】  番組の属性情報である番組情報及び番組表を蓄積する蓄積手段を有し、記端末装置からの送信要求に応じて上記番組情報及び番組表を送信する番組関連情報提供装置と、上記番組関連情報提供装置から送信される番組表中の番組の番組視聴要求を上記番組関連情報提供装置に送信する上記端末装置とがネットワーク網を介し接続された番組関連情報提供システムの番組関連情報提供方法であって、
上記番組関連情報提供装置は、上記端末装置から送信される上記番組表中の番組に対する番組記視聴要求に応じて当該番組の上記端末装置への受信を許可し、
上記端末装置は、上記番組関連情報提供装置によって許可された番組を受信し、受信した番組を当該端末装置の表示手段に表示し、上記番組関連情報提供装置は、上記端末装置への受信を許可すると同時に上記蓄積手段に蓄積された番組情報を検索し、検索された上記番組情報のうち、当該番組と関連した番組関連情報のネットワーク網上の所在地を示すと同時に当該番組関連情報にアクセス可能なアドレス情報と、上記アドレス情報の表示時間を規定する表示時間情報とを備える上記端末装置に上記アドレス情報を表示させる制御命令である番組関連情報アドレス表示スクリプトを生成し、生成された上記番組関連情報アドレス表示スクリプトを上記端末装置に送信し、上記端末装置は、上記番組関連情報提供装置から送信された上記番組関連情報アドレス表示スクリプトを受信し、受信した上記番組関連情報アドレス表示スクリプトから上記アドレス情報と、上記表示時間情報とを検出し、検出した上記表示時間情報に基づいて上記アドレス情報を当該端末装置の表示手段に表示又は非表示させるよう制御すること
を特徴とする番組関連情報提供方法。